(57)【特許請求の範囲】
【請求項１】
揺動自在にケースに保持される操作体と、前記ケース内に納められ、前記操作体により上下動する駆動体と、該駆動体の上下動を案内するように前記ケースに形成した案内部と、前記駆動体により押圧されるスイッチ素子とを納めたスイッチ装置において、
前記操作体は前記ケースの幅方向に設けられる操作回転軸芯を中心に揺動自在とされると共に、該操作回転軸芯から、前記ケースの幅方向と直交する、前記ケースの長手方向に所定距離離隔した下面に前記駆動体を押圧する押圧部を備え、
前記駆動体は下端部に前記スイッチ素子と当接し前記操作体による動作に伴って前記スイッチ素子を押圧するスイッチ押圧部を備え、
該スイッチ押圧部による前記スイッチ素子の第１押圧中心は、前記長手方向において、前記操作体の押圧部による前記駆動体の第２押圧中心より前記操作体の操作回転軸芯寄りに配置され、
前記スイッチ押圧部の前記ケースの幅方向において対向する両側面と、該両側面に対向する前記ケースの内面とのそれぞれに、前記スイッチ押圧部を上下方向に案内するガイド部を設けると共に、該ガイド部は前記スイッチ素子の第１押圧中心と同じ前記長手方向位置に設けられることを特徴とするスイッチ装置。
【請求項２】
前記駆動体は、前記操作回転軸芯の両側にそれぞれ配置された第１および第２の駆動体とからなることを特徴とする請求項１記載のスイッチ装置。
【請求項３】
前記スイッチ素子は、前記第１および第２の駆動体のそれぞれに前記ケースの幅方向に沿って２つずつ設けられた第１のスイッチ対および第２のスイッチ対であることを特徴とする請求項１または２記載のスイッチ装置。
【請求項４】
前記スイッチ素子は、ゴム接点部材からなることを特徴とする請求項１〜３のいずれか１項に記載のスイッチ装置。
【発明の詳細な説明】
【技術分野】
【０００１】
本発明は、揺動自在な操作体によってスイッチ操作をなすスイッチ装置に関し、特に操作体により上下動する駆動体を介してスイッチ素子を押圧操作するスイッチ装置に関する。
【背景技術】
【０００２】
車のパワーウインドウを操作するためのスイッチには、揺動自在な操作体によってスイッチ素子を押圧し、スイッチ操作をなすスイッチ装置が用いられる。このようなスイッチ装置は、操作体によって直接スイッチ素子を押圧するものや、駆動体を介して操作体による操作をスイッチ素子に伝えるものなどがある。
【０００３】
このうち駆動体を介して操作体による操作をスイッチ素子に伝えるものでは、操作体の操作回転軸芯から長手方向に所定距離離隔した両側の下面にそれぞれ駆動体の上面が当接し、駆動体は下端部にスイッチ素子を押圧するスイッチ押圧部を備えて構成される。このような駆動体を用いたスイッチ装置としては、例えば特許文献１に挙げるようなものがある。
【特許文献１】特開平８−１６７３４７号公報
【発明の開示】
【発明が解決しようとする課題】
【０００４】
特許文献１に挙げるような従来のスイッチ装置においては、操作体の駆動体に対する押圧中心の真下にスイッチ素子を設けて、駆動体のスイッチ素子に対する押圧中心が一直線状となるようにしていた。あるいは２つのスイッチ素子の中間部分を押すようにしていた。スイッチ素子はある程度の大きさを有しているので、従来のスイッチ装置ではスイッチ素子の端部が操作体の駆動体に対する押圧中心より外側に配置されることになり、基板の大型化並びに全体の大型化を招いていた。特に、パワーウインドウのスイッチとして用いる際には、ドア内にスイッチ装置を配置する必要があり、配置スペースに制約が生じる場合があるため、できるだけ省スペースに設置できるスイッチ装置が望まれていた。
【０００５】
本発明は上記課題を鑑みてなされたものであり、スイッチ素子をコンパクトに収納して省スペースに設置できるスイッチ装置を提供することを目的とする。
【課題を解決するための手段】
【０００６】
上記課題を解決するため、本発明に係るスイッチ装置は、揺動自在にケースに保持される操作体と、前記ケース内に納められ、前記操作体により上下動する駆動体と、該駆動体の上下動を案内するように前記ケースに形成した案内部と、前記駆動体により押圧されるスイッチ素子とを納めたスイッチ装置において、
前記操作体は前記ケースの幅方向に設けられる操作回転軸芯を中心に揺動自在とされると共に、該操作回転軸芯から、前記ケースの幅方向と直交する、前記ケースの長手方向に所定距離離隔した下面に前記駆動体を押圧する押圧部を備え、
前記駆動体は下端部に前記スイッチ素子と当接し前記操作体による動作に伴って前記スイッチ素子を押圧するスイッチ押圧部を備え、
該スイッチ押圧部による前記スイッチ素子の第１押圧中心は、前記長手方向において、前記操作体の押圧部による前記駆動体の第２押圧中心より前記操作体の操作回転軸芯寄りに配置され、
前記スイッチ押圧部の前記ケースの幅方向において対向する両側面と、該両側面に対向する前記ケースの内面とのそれぞれに、前記スイッチ押圧部を上下方向に案内するガイド部を設けると共に、該ガイド部は前記スイッチ素子の第１押圧中心と同じ前記長手方向位置に設けられることを特徴として構成される。
【０００７】
また、本発明に係るスイッチ装置は、前記駆動体は、前記操作回転軸芯の両側にそれぞれ配置された第１および第２の駆動体とからなることを特徴として構成される。
【０００８】
さらに、本発明に係るスイッチ装置は、前記スイッチ素子は、前記第１および第２の駆動体のそれぞれに前記ケースの幅方向に沿って２つずつ設けられた第１のスイッチ対および第２のスイッチ対であることを特徴として構成される。
さらにまた、本発明に係るスイッチ装置は、前記スイッチ素子は、ゴム接点部材からなることを特徴として構成される。
【発明の効果】
【０００９】
本発明に係るスイッチ装置によれば、駆動体のスイッチ押圧部によるスイッチ素子の押圧中心は操作体の押圧部による駆動体の押圧中心より操作体の操作回転軸芯寄りに配置されることにより、スイッチ素子を操作体の内側寄りに配置し、スイッチ素子の配置スペースを小さくすることができるので、スイッチ素子をコンパクトに収納して省スペースに設置することができる。
【００１０】
また、本発明に係るスイッチ装置によれば、駆動体のスイッチ押圧部の両側面と該両側面と対向するケースの内面にはスイッチ押圧部を上下方向に案内するガイド部を設けたことにより、駆動体の回転運動を規制して所定の動きとすることができるので所定のタイミングでスイッチ素子を動作可能とし、同時に荷重やクリック感触の変化を防止することができる。
【００１１】
さらに、本発明に係るスイッチ装置によれば、ガイド部はスイッチ素子の押圧中心と同じ長手方向位置に設けられることにより、スイッチ押圧部を確実に上下方向にガイドすることができる。
【発明を実施するための最良の形態】
【００１２】
本発明の実施形態について図面に沿って詳細に説明する。図１には、本実施形態におけるスイッチ装置の分解斜視図を示している。この図に示すように本実施形態におけるスイッチ装置は、基部１に対して上方からケース２を取付け、ケース２には操作体３を揺動自在に取付け、ケース２内には操作体３によって上下動される駆動体４と、ゴムからなり駆動体４に押圧されるスイッチ素子６を備えたゴム接点部材５と、接点部７ａを上面に備えた基板７とを納めてなるものである。
【００１３】
ケース２には上部に支軸部２ａが形成されており、この支軸部２ａに対して操作体３が軸部３ａを介して揺動自在に取付けられ、操作回転軸芯１０を構成する。ここで、操作回転軸芯１０はケース２の幅方向を向くように設けられる。なお、本実施形態では支軸部２ａを凸状に、軸部３ａを凹状に形成しているが、これらの凹凸関係を逆にしてもよい。
【００１４】
駆動体４は、第１の駆動体２３と第２の駆動体２４の２つからなり、操作体３の揺動方向に応じていずれか一方の駆動体４が上下方向にスライド動作する。第１の駆動体２３と第２の駆動体２４は、いずれも下端部に下面でスイッチ素子６を押圧するスイッチ押圧部２２が形成されている。
【００１５】
スイッチ素子６は、ゴムからなるゴム接点部材５に一体的に形成され、ケース２の幅方向に沿って２つずつ設けられた第１のスイッチ対３０と第２のスイッチ対３１とを構成している。すなわち、全部で４つのスイッチ素子６により２対のスイッチ対を構成している。第１のスイッチ対３０は、第１の駆動体２３のスイッチ押圧部２２によって２つ同時に押圧され、第２のスイッチ対３１は、第２の駆動体２４のスイッチ押圧部２２によって２つ同時に押圧される。
【００１６】
基板７上には、４つのスイッチ素子６に対応した位置にそれぞれ接点部７ａが形成されており、第１のスイッチ対３０または第２のスイッチ対３１が駆動体４のスイッチ押圧部２２に押圧されることによって、それぞれスイッチ動作がなされるように構成されている。
【００１７】
図２には、スイッチ装置の平面図を示している。この図に示すように、スイッチ装置は上方から見て略長方形状のケース２の上面に操作体３が露出するように構成されている。その操作は、操作体３の一端部である操作部１２を持ち上げるように一方側に揺動させることで第１の駆動体２３を押圧し、第１の駆動体２３が第１のスイッチ対３０を押圧してスイッチ動作を行わせることができる。また、操作部１２を押し込むように他方側に揺動させることで第２の駆動体２４を押圧し、第２の駆動体２４が第２のスイッチ対３１を押圧してスイッチ動作を行わせることができる。
【００１８】
図３には、図２のＡ−Ａ断面図を示している。この図に示すように、操作体３の下面には、その揺動に伴って駆動体４を押圧する押圧部１１が、第１の駆動体２３と第２の駆動体２４にそれぞれ対応して形成されている。また、第１の駆動体２３と第２の駆動体２４の上面は、それぞれ操作体３の押圧部１１に押圧される被押圧部２１として形成されている。
【００１９】
第１の駆動体２３と第２の駆動体２４の下部は、スイッチ押圧部２２としてスイッチ素子６の上面に当接している。ここで、第１の駆動体２３と第２の駆動体２４はいずれも、操作体３の押圧部１１による被押圧部２１の押圧中心よりも、スイッチ押圧部２２によるスイッチ素子６の押圧中心の方が、ケース２内の長手方向において操作体３の操作回転軸芯１０寄りとなるように配置されている。この配置についてはさらに後述する。
【００２０】
図４には、第１の駆動体２３の正面図（図４（ａ））及び平面図（図４（ｂ））を示している。この図に示すように、第１の駆動体２３は、上部のスライド部２０と下部のスイッチ押圧部２２とからなる。スライド部２０は板状に形成され、上面が操作体３の押圧部２２に押圧される被押圧部２１として形成される。スイッチ押圧部２２は、前述のように第１のスイッチ対３０を構成する２つのスイッチ素子６を同時に押圧することができるように形成されている。また、スイッチ押圧部２２の両側面には、それぞれ突起部２５が形成されている。第２の駆動体２４は、左右反転した同様の形状からなっている。
【００２１】
図５には、ケース２の断面図について示している。この図に示すように、ケース２の内部には、駆動体４のスライド部２０を案内する案内部２ｂが、第１の駆動体２３と第２の駆動体２４のそれぞれに対して形成されている。駆動体４は操作体３に押圧されると、案内部２ｂに沿って上下動することができる。
【００２２】
また、スイッチ押圧部２２の側面と対向するケース２の内面には、縦方向に形成される２本の突起体によって構成される溝部２ｃが、第１の駆動体２３と第２の駆動体２４のそれぞれに対して設けられている。なお、溝部２ｃはケース２の内面の両側面にそれぞれ形成される。溝部２ｃは、駆動体４のスイッチ押圧部２２に形成される突起部２５を係合させ上下方向に案内することができる。このように、ケース２の溝部２ｃと駆動体４の突起部２５によって、スイッチ押圧部２２を上下方向に案内するガイド部８を構成している。なお、この凹凸関係は逆でもよく、さらには複数設けても良い。
【００２３】
図６には、ケース２と操作体３、駆動体４並びにゴム接点部材５の位置関係を表した断面図について示している。この図に示すように、操作体３の押圧部２２と、ケース２の案内部２ｂと、駆動体４のスライド部２０とが、操作体３の駆動体４に対する押圧中心線４０上において一直線状に配置される。一方、ゴム接点部材５に形成されるスイッチ素子６は、駆動体４のスイッチ押圧部２２による押圧中心線４１が、操作体３の駆動体４に対する押圧中心線４０よりも、ケース２の長手方向において操作回転軸芯１０寄りとなるように配置される。このようにスイッチ素子６をケース２の内側寄りに配置したことにより、ケース２内においてスイッチ素子６を狭い領域に配置することができて、基板７の大きさを抑えスイッチ装置全体としても大型化を抑えることができる。
【００２４】
また、スイッチ押圧部２２の突起部２５は、ケース２の内面に形成される溝部２ｃに対応した位置に形成されて、ガイド部８を構成している。また、ガイド部８は、スイッチ押圧部２２のスイッチ素子６に対する押圧中心線４１と略一直線状となるように形成されている。
【００２５】
スイッチ押圧部２２は前述のようにスイッチ素子６に対する押圧中心線４１が、押圧中心線４０とずれるように配置されているため、駆動体４が操作体３による押圧を受けた際にスイッチ素子６を傾斜状に押圧することを防止するようにガイド部８が設けられている。特に、ガイド部８がスイッチ押圧部２２のスイッチ素子６に対する押圧中心線４１と略一直線状となるように形成されていることにより、ガイド部８によって上下方向に案内されるスイッチ押圧部２２がスイッチ素子６を垂直に押圧して、所定の荷重及びクリック感触を得ることができる。
【００２６】
図７には、操作体３を操作した状態における断面図を示している。この図では、操作体３の操作部１２を持ち上げるように操作して、操作体３を一方側に揺動させた状態を示している。操作体３を一方側に揺動させると、その下面の押圧部１１が第１の駆動体２３の被押圧部２１を押圧して、第１の駆動体２３を下方に押し下げる。第１の駆動体２３は、スライド部２０がケース２の案内部２ｂに案内され、またスイッチ押圧部２２がガイド部８に沿って案内されて、全体が垂直下方にスライドする。第１のスイッチ対３０を構成するスイッチ素子６は、第１の駆動体２３のスイッチ押圧部２２に押圧されて基板７の接点部７ａと接触し、スイッチ動作をなす。
【００２７】
操作体３を押し込むように操作して、操作体３を他方側に揺動させた場合には、操作体３により第２の駆動体２４が下方に押し下げられ、第２の駆動体２４のスイッチ押圧部２２が第２のスイッチ対３１を構成するスイッチ素子６を押圧し、スイッチ動作をなす。
【００２８】
本実施形態においては、１つの駆動体４で２つのスイッチを押圧しているので、大きな回転力が加わることとなるが、ガイドを設けているので確実に規制できる。但し１つのスイッチを駆動するものであっても良い。また本実施形態においては、操作体と駆動体の当接位置よりも操作回転軸芯の方向に４つのスイッチを配置しているので小型化に優れる。
【図面の簡単な説明】
【００３０】
【図１】本実施形態におけるスイッチ装置の分解斜視図である。
【図２】スイッチ装置の平面図である。
【図３】図２のＡ−Ａ断面図である。
【図４】第１の駆動体の正面図及び平面図である。
【図５】ケースの断面図である。
【図６】操作体とケース、駆動体並びにゴム接点部材の配置関係を表した断面図である。
【図７】操作体を一方側に揺動させた状態の断面図である。
【符号の説明】
【００３１】
１    基部
２    ケース
２ａ  支軸部
２ｂ  案内部
２ｃ  溝部
３    操作体
４    駆動体
５    ゴム接点部材
６    スイッチ素子
７    基板
７ａ  接点部
８    ガイド部
１０    操作回転軸芯
１１    押圧部
１２    操作部
２０    スライド部
２１    被押圧部
２２    スイッチ押圧部
２３    第１の駆動体
２４    第２の駆動体
２５    突起部
【図１】
0004653001.tif 000002
【図２】
0004653001.tif 000003
【図３】
0004653001.tif 000004
【図４】
0004653001.tif 000005
【図５】
0004653001.tif 000006
【図６】
0004653001.tif 000007
【図７】
0004653001.tif 000008